(57)【要約】【課題】  極めて簡単かつ容易に、土台天面の水平度を精度よく確実に確保できるばかりでなく、経済的であり、さらには床下換気が完全になされる新規なコンクリート基礎の土台構造の土台受け部材を提供する。【解決手段】コンクリート基礎１０の上面１０ａから突出するねじ棒２０，２１に対して木製土台１１を貫通保持する構造であって、前記木製土台１１の下面側１１ｂにおいて受け座面３０ａを有する土台受け部材３０が前記ねじ棒２０，２１に螺着され、前記木製土台１１が上面側１１ａの締付ナット４０との間で保持される。【選択図】図２
0003141916.tif 000002
【実用新案登録請求の範囲】
【請求項１】
受け座面（３０ａ）と、前記受け座面の中央部に形成されたねじ穴部（３１）と、前記受け座面（３０ａ）の側面部に形成された回動用治具（５０）の係止部（５１）と係合するための係合部（３２）とを有することを特徴とする土台受け部材。
【請求項２】
材質が金属又はプラスチックよりなる請求項２に記載の土台受け部材。
【請求項３】
前記受け座面に貫通部が形成されている請求項１又は２に記載の土台受け部材。
【請求項４】
前記受け座面の平面形状が円形であり、受け座面の側面円周部に回動用治具（５０）の突起部（５１）と係合するための複数の係合部を有する請求項１ないし３のいずれか１項に記載の土台受け部材。
【請求項５】
前記受け座面の平面形状が正多角形であり、その各側面部が回動用治具と係合するための係合面（６１）として形成された請求項１ないし３のいずれか１項に記載の土台受け部材。
【考案の詳細な説明】
【技術分野】
【０００１】
この考案は、建築物の土台構造に関し、特にはコンクリート基礎の上面から突出するねじ棒に対して木製土台を貫通保持する土台受け部材に関する。
【背景技術】
【０００２】
木造住宅等の建築物の土台構造では、当該建築物の荷重を安定して支えるために地盤上に布基礎と呼ばれるコンクリート基礎が敷設される。そして、このコンクリート基礎の上面に建築物の木製土台が設置される。この木製土台の設置は、コンクリート基礎内に埋設され基礎上面から突出するアンカーボルト等のねじ棒を木製土台に貫設し、木製土台上面で締付ナットを螺着してなされる。
【０００３】
伝統的に行われているこの種の土台構造にあっては、図８に示すように、木製土台１１の下面１１ｂがコンクリート基礎１０の上面１０ａに密接して固定される。この構造では、床下の換気の必要性から、コンクリート基礎の側面に通気口１３が形成される。図において、符号２０はアンカーボルト、４０は締付ナット、４１は座金、１２は柱である。
【０００４】
この土台構造では、木製土台１１がコンクリート基礎１０の上面（天端）１０ａに接することから、土台１１の水平性を出すためには、コンクリート基礎上面１０ａを平滑にすることが必要で、通常レベラーと呼ばれる流動性の高いモルタルを流し込む作業が行われている（天端モルタル掛け工法）。しかしながら、基礎全周のすべての天端をモルタルの流し込みのみによって、要求される高さに水平を出すことは、手間や時間や費用をかけても物理的に困難で、スペーサ等による手直しをしているのが現状である。また、この構造では、木製土台１１がコンクリート基礎１０に接することにより腐朽しやすくなりシロアリ等の問題を発生するおそれがある。さらに、建物の荷重などによって通気口１３の角部に経時的に亀裂Ｃを生ずることがしばしばあり、強度上の問題のみならず外観性も低下し補修などの必要がある。
【０００５】
これに対して、図９に示すように、コンクリート基礎１０の上面１０ａにパッキン材７０を介装して木製土台１１を設置する土台構造が知られている（基礎パッキン工法。例えば、実用新案登録文献１参照）。この土台構造では、コンクリート基礎１０の上面１０ａと木製土台１１の下面１１ｂとの間にプラスチック等のパッキン材７０が介在されるので、床下の通気性が確保され、前記の通気口を設ける必要がなくなり、木製土台の腐朽や通気口の亀裂等の問題は解消される。なお、図９において図８と同一符号は同一部材を表す。
【０００６】
しかしながら、このパッキン材７０を介装する土台構造では、多数のパッキン材を敷設する必要があるばかりでなく、コンクリート基礎１０ａの上面に接する形でパッキン材７０が配置されるため、土台１１の水平性を出すためには、前記と同様に、コンクリート基礎上面１０ａの凹凸により、厚みの異なる複数種類のパッキン材を用いたり、あるいはパッキン材の厚みを調整したりする必要があり、煩雑であるばかりか、精度の高い水平度を出すことは困難であった。
【特許文献１】特開２００２−２７６０４２号公報
【考案の開示】
【考案が解決しようとする課題】
【０００７】
この考案は前記の点に鑑みなされたものであり、極めて簡単かつ容易に、土台天面の水平度を精度よく確実に確保できるばかりでなく、経済的であり、さらには床下換気も完全になされる新規なコンクリート基礎の土台構造の土台受け部材を提供するものである。
【課題を解決するための手段】
【０００８】
すなわち、請求項１の考案は、受け座面と、前記受け座面の中央部に形成されたねじ穴部と、前記受け座面の側面部に形成された回動用治具の係止部と係合するための係合部とを有することを特徴とする土台受け部材に係る。
【０００９】
請求項２の考案は、材質が金属又はプラスチックよりなる請求項１に記載の土台受け部材に係る。
【００１０】
請求項３の考案は、前記受け座面に貫通部が形成されている請求項１又は２に記載の土台受け部材に係る。
【００１１】
請求項３の考案は、前記受け座面の平面形状が円形であり、受け座面の側面円周部に回動用治具の突起部と係合するための複数の係合部を有する請求項１ないし３のいずれか１項に記載の土台受け部材に係る。
【００１２】
請求項４の考案は、前記受け座面の平面形状が正多角形であり、その各側面部が回動用治具と係合するための係合面として形成された請求項１ないし３のいずれか１項に記載の土台受け部材に係る。
【考案の効果】
【００１３】
請求項１の考案は、受け座面と、前記受け座面の中央部に形成されたねじ穴部と、前記受け座面の側面部に形成された回動用治具の係止部と係合するための係合部とを有することを特徴とする土台受け部材に係るものであるから、簡略な構造で製作上及び経済上の有利性がある。土台受け部材の高さ調節はねじによってなされるので、無段階で微妙な調整を精度良く簡単かつ容易に行える。
【００１４】
なお、この考案による土台構造にあっては、コンクリート基礎の上面から突出するねじ棒に対して木製土台を貫通保持する構造であって、前記木製土台の下面側において受け座面を有する土台受け部材が前記ねじ棒に螺着され、前記木製土台が上面側の締付ナットとの間で保持されているものであるから、土台受け部材の螺着位置を調整することによって、極めて簡単かつ容易に短時間に、土台天面の水平度を精度よく確実に確保することができる。のみならず、コンクリート基礎上面の平滑性を出すための作業を要せず、ねじ棒に土台受け部材を螺着するだけであるから、材料的にも工法的にも極めて経済的であり、さらにはコンクリート基礎の上面と木製土台とが接しないので、床下換気が完全になされる。加えて、木製土台の貫通保に際しては、木製土台が一定間隔で下面側で土台受け部材に上面側で締付ナットによって緊締されるので、木材の歪みがなくなり（木材のムラ取りが自動的になされる）真っ直ぐになるという利点がある。なお、土台受け部材を埋設しない場合には、建物が完成した後であっても、いつでも必要により土台の高さ調整が可能である。
【００１５】
請求項２の考案は、請求項１において、材質が金属又はプラスチックよりなるものであるから、製造が簡単で製作上及び経済上の有利性がある。
【００１６】
請求項３の考案は、請求項１又は２において、前記受け座面に貫通部が形成されているものであるから、軽量化が可能であるばかりでなく、モルタル充填時には土台受け部材とモルタルとの結合力が向上する。
【００１７】
請求項４の考案は、請求項１ないし３のいずれか１項において、前記受け座面の平面形状が円形であり、受け座面の側面円周部に回動用治具の突起部と係合するための複数の係合部を有するものであるから、製作が容易かつ経済的で、使い勝手がよく、実用的である。
【００１８】
請求項５の考案は、請求項１ないし３のいずれか１項において、前記受け座面の平面形状が正多角形であり、その各側面部が回動用治具と係合するための係合面として形成されたものであるから、製作が容易かつ経済的で、使い勝手がよく、実用的である。スパナ等の汎用工具の使用も可能である。
【考案を実施するための最良の形態】
【００１９】
以下添付の図面に従って、この考案の実施例を説明する。図１はこの考案のコンクリート基礎の土台構造の実施例を示す要部の断面図、図２はその一部の拡大断面図、図３は土台の高さ調整を行う状態を表す断面図、図４は土台構造の別の実施例を示す要部の断面図、図５は土台受け部材とその回動用治具の実施例を表す斜視図、図６は土台受け部材の他の実施例を表す斜視図、図７はさらに土台受け部材の別の実施例を表す斜視図である。
【００２０】
図１及びその要部拡大図である図２に示したように、この考案は、コンクリート基礎１０内に埋設されてその上面１０ａから突出するねじ棒２０，２１に対して、木製土台１１を貫通保持する構造に関する。この考案のコンクリート基礎の土台構造は、木製土台１１の下面側１１ｂにおいて、受け座面３０ａを有する土台受け部材３０が前記ねじ棒２０，２１に螺着され、前記木製土台１１が上面側１１ａの締付ナット４０との間で保持されていることを特徴とする。図の符号１４は木製土台の貫通孔である。
【００２１】
図のように、土台受け部材３０はねじ棒２０，２１に回動自在に螺着されるので、回動用治具による回動による高さ調整が可能である。図３は、土台１１の高さ調整を行う状態を示し、同図における（ｂ）が標準高さであるとすると、（ａ）は低いのでその土台受け部材３０（３０Ａ）をねじ棒２０（２０Ａ）に対して反時計回りｔ１に回して上昇させ、また（ｃ）は高いのでその土台受け部材３０（３０Ｃ）をねじ棒２０（２０Ｃ）に対して時計回りｔ２に回して下降させて、土台１１の天面１１ａの不陸を調整して水平保持を行う。調整完了後に、木製土台１１の上面側１１ａの締付ナット４０の緊締を行うことはいうまでもない。符号４１は締付ナット４０の座金である。
【００２２】
ねじ棒は、従来一般に用いられているアンカーボルト２０又はホールダウン金物４２用のねじ棒２１を用いることができる。コンクリート基礎用のアンカーボルト２０は、例えば、直径１６ｍｍ、ねじピッチ２ｍｍを有し、通常９１０ｍｍ間隔で立設されており、これを用いることが有利である。また、ホールダウン金物４２用のねじ棒２１はコンクリート基礎１０と柱１２脚部との緊締等に用いられもので、同じく直径１６ｍｍ、ねじピッチ２ｍｍである。図１に図示したホールダウン金物４２に関して、４３は柱１２の側面１２ｃへの取付板、４４は取付ビス、４５は取付板４３と一体に形成されたねじ棒貫通部、４６は締付ナット、４７は座金である。
【００２３】
なお図１の符号２２で示すねじ棒は、土台１１の端部用のねじ棒で、図のように隅柱１２の下に位置する場合などには土台１１を貫通せずに、土台受け部材３０の受け座面３０ａのみで保持する場合もある。
【００２４】
図４は、土台受け部材３０（３５）とコンクリート基礎１０との間にモルタルＭが充填された例である。土台受け部材３０は、後述するように、その土台受け面３０ａにおいて木製土台１１の荷重を十分に保持するように設計されるが、使用環境が過酷な場合や特に高い耐久性が求められる場合、あるいは材質等による強度上の要請、さらには外観等の必要性などに応じて、コンクリート基礎１０との間にモルタルＭを充填してもよい。モルタルＭはこのような要請に対して、簡単かつ容易にしかも経済的に対応することができる。なお、モルタルＭの充填は、土台１１の不陸調整後に行うことはいうまでもない。図４の土台受け部材３０（３５）は、請求項３の考案として規定したもので、受け座面３０ａに貫通部３９が形成されていて、モルタル充填時には土台受け部材３５とモルタルＭとの結合力が向上する。
【００２５】
次に、土台受け部材３０について説明する。既に述べたように、この考案の土台受け部材３０は、受け座面３０ａと、前記受け座面の中央部に形成されたねじ穴部３１と、前記受け座面３０ａの側面部に形成された回動用治具５０の係止部５１と係合するための係合部３２とを有する。
【００２６】
受け座面３０ａは、前記したように、木製土台１１の下面に接して当該木製土台の荷重を保持する部分であって、必要な耐荷重性能を有する。前記したように、従来一般的なコンクリート基礎用のアンカーボルトは直径１６ｍｍ、ねじピッチ２ｍｍを有し、通常９１０ｍｍ間隔で立設されており、これを用いることが有利であるから、これを基準として、受け座面３０ａの大きさや強度計算がなされる。図５に示した例の土台受け部材３０は鉄材よりなり、受け座面３０ａの大きさは板厚が１６ｍｍ、直径８０ｍｍの円形に形成されている。受け座面３０ａの中央部に形成されたねじ穴部３１のねじ径は一般的なアンカーボルト２０に螺着するために１６ｍｍ、ねじピッチ２ｍｍとしてある。なお、ねじ棒２０とねじ穴部３１との関係は、この例のほかに、直径が１２〜１６ｍｍ、ねじピッチ１．５ｍｍなどがある。
【００２７】
土台受け部材３０は、請求項２として規定したように、その材質を金属又はプラスチックとすることが有利である。金属としては、前記した鉄材のほかアルミ材などを使用できる。プラスチックは量産化や軽量化が容易で、経済性がある。
【００２８】
前記し図７に示し請求項３の考案として規定したように、土台受け部材３０（３５）の受け座面３０ａには適宜の貫通部３９を形成することができる。軽量化を図ることができるほか、前記したモルタル充填時には土台受け部材とモルタルとの結合力が向上する。図７の貫通部は円形状で３ケ所形成したが、形状や個数は適宜とすることができる。符号３７は回動用治具のための切欠係合部である。
【００２９】
受け座面３０ａの側面部には、回動用治具５０の係止部５１と係合するための係合部３２が形成される。図５の実施例の土台受け部材３０にあっては、請求項４の考案として規定したように、受け座面３０ａの平面形状が円形であり、受け座面の側面円周部３０ｂには回動用治具５０の突起部５１と係合するための複数の係合部３２が形成されている。この例の係合部３２は孔部で受け座面の側面円周部３０ｂの９０度間隔で４ケ所形成されている。
【００３０】
図６に図示の土台受け部材６０は、請求項５の考案として規定したように、受け座面６０ａの平面形状が正多角形、ここでは正六角形状であり、その各側面部６２が回動用治具と係合するための係合面として形成されたものである。このような正多角形状の土台受け部材６０は、回動用治具としてスパナ等の汎用工具の使用が可能で、かつ製作が容易かつ経済的で、使い勝手がよく、実用的であるという利点を有する。
【００３１】
この考案の土台受け部材３０は、木製土台１１をコンクリート基礎１０上に設置する前に、各ねじ棒２０に螺着される。土台受け部材３０は適当な高さ治具などにより初期設定位置に螺着される。その後、木製土台１１をその貫通孔１４を介してねじ棒２０及び土台受け部材３０に設置する。そして、木製土台１１の上面（天面）１１ａを水準器等によって計測し、回動用治具を用いて必要な土台受け部材６０を回動して土台天面の水平度を調整する。
【図面の簡単な説明】
【００３２】
【図１】この考案のコンクリート基礎の土台構造の実施例を示す要部の断面図である。
【図２】図１の一部の拡大断面図である。
【図３】土台の高さ調整を行う状態を表す断面図である。
【図４】土台構造の別の実施例を示す要部の断面図である。
【図５】土台受け部材とその回動用治具の実施例を表す斜視図である。
【図６】土台受け部材の他の実施例を表す斜視図である。
【図７】さらに土台受け部材の別の実施例を表す斜視図である。
【図８】従来の土台構造の一例を示す断面図である。
【図９】従来の土台構造の他の例を示す断面図である。
【符号の説明】
【００３３】
１０    コンクリート基礎
１０ａ  基礎上面
１１    木製土台
１１ｂ  木製土台下面
２０，２１  ねじ棒
３０  土台受け部材
３０ａ  受け座面
３１    ねじ穴部
３２    係合部
４０    締付ナット
５０    回動用治具
【図１】
0003141916.tif 000003
【図２】
0003141916.tif 000004
【図３】
0003141916.tif 000005
【図４】
0003141916.tif 000006
【図５】
0003141916.tif 000007
【図６】
0003141916.tif 000008
【図７】
0003141916.tif 000009
【図８】
0003141916.tif 000010
【図９】
0003141916.tif 000011